(57)【特許請求の範囲】
【請求項１】
一方の側面を入射面とし、他方の側面を出射面とする導光板と、前記導光板の入射面に光を入射する光源とを備え、
前記導光板は、入射面側に位置する第１の反射部と、出射面側に位置する第２の反射部とを備え、前記入射面と前記出射面とが互いに平行な平面であり、
前記第１の反射部は、前記入射面に平行な方向に沿って前記光源から離れるほど前記入射面を含む面との距離が増大するように所定の間隔で設けた、前記入射面に平行な方向に沿って前記光源から離れるほど前記入射面を含む面との距離が増大する形状をそれぞれ有する複数の第１の反射面を備え、前記第１の反射部における複数の第１の反射面が、前記導光板内部に設けた空洞からなる低屈折率部との界面となっており、
前記第２の反射部は、前記入射面に平行な方向に沿って前記光源から離れるほど前記入射面を含む面との距離が連続的に増大する形状を有する第２の反射面を備え、前記第２の反射部における第２の反射面が、前記導光板内部に設けた空洞からなる低屈折率部との界面となっており、
前記導光板は、前記入射面と前記第１の反射部との間に位置する第１部分、前記第１の反射部と前記第２の反射部との間に位置する第２部分、前記第２の反射部と前記出射面との間に位置する第３部分からなる３つの部分に分けて構成され、前記第１部分と前記第２部分との間が平面又は円錐面の分割面を介して合わせられ、前記第２部分と前記第３部分との間が平面又は円錐面の分割面を介して合わせられていることを特徴とする面発光装置。
【請求項２】
前記第１の反射部における複数の第１の反射面が、平面、凸面、凹面、またはシボ形状から選択される１つまたは２つ以上である請求項１に記載の面発光装置。
【請求項３】
前記導光板が前記光源の光に対して透明な材質からなることを特徴とする請求項１または２に記載の面発光装置。
【請求項４】
前記導光板の出射面上に、光を拡散させる層を備えることを特徴とする請求項１〜３のいずれか一項に記載の面発光装置。
【請求項５】
前記導光板の側面の外形が多角形であり、前記第１の反射部および前記第２の反射部が、前記導光板の外形に合わせて相似形としている請求項１〜４のいずれか一項に記載の面発光装置。
【請求項６】
前記導光板の側面の外形が四角形状であることを特徴とする請求項５に記載の面発光装置。
【請求項７】
前記導光板の側面の外形が半円状または扇形であることを特徴とする請求項１〜４のいずれか一項に記載の面発光装置。
【請求項８】
前記第１の反射部における複数の第１の反射面にそれぞれ反射膜を設けたことを特徴とする請求項１〜７のいずれか一項に記載の面発光装置。
【発明の詳細な説明】
【技術分野】
【０００１】
本発明は、面状光源として照明等に利用可能な面発光装置に関する。
【背景技術】
【０００２】
従来の照明用光源としては、発光ダイオード（ＬＥＤ）等の点状光源や、冷陰極管等の線状光源が用いられている。これらの点状または線状の光源を利用して面状光源を構成する手法としては、光源の上に散乱シートや拡散板などを配置して光を拡散させる手法や、光源を導光板の端面に配置して導光板の表面から光を出射する手法などがある。
導光板の表面から光をより均一に出射させるためには、光源からの距離などに応じて、導光板内部で光の拡散の濃度分布を変化させたり、光を出射面に向けて散乱させる凹凸部の深さ、形状、密度等を変えたりすることで、より均一な輝度分布を得ることができる（例えば特許文献１参照）。
【先行技術文献】
【特許文献】
【０００３】
【特許文献１】特開２００７−１０９５５４号公報
【発明の概要】
【発明が解決しようとする課題】
【０００４】
しかしながら、散乱シートや拡散板などを配置して光を拡散させる手法の場合、出射光の指向性が低いという問題がある。また、導光板の凹凸部によって光を出射面に向けて反射させる場合、どの凹凸部でも反射されずに導光板を反対側の端面まで透過してしまう光が存在し、導光板に入射した光の利用効率（出射面から出射される率）が低下してしまう問題がある。
【０００５】
本発明は、上記事情に鑑みてなされたものであり、導光板を用いて光の利用効率が高く、面状に均一性の高い発光が可能な面発光装置を提供することを課題とする。
【課題を解決するための手段】
【０００６】
前記課題を解決するため、本発明は、一方の側面を入射面とし、他方の側面を出射面とする導光板と、前記導光板の入射面に光を入射する光源とを備え、前記導光板は、入射面側に位置する第１の反射部と、出射面側に位置する第２の反射部とを備え、前記入射面と前記出射面とが互いに平行な平面であり、前記第１の反射部は、前記入射面に平行な方向に沿って前記光源から離れるほど前記入射面を含む面との距離が増大するように所定の間隔で設けた、前記入射面に平行な方向に沿って前記光源から離れるほど前記入射面を含む面との距離が増大する形状をそれぞれ有する複数の第１の反射面を備え、前記第１の反射部における複数の第１の反射面が、前記導光板内部に設けた空洞からなる低屈折率部との界面となっており、前記第２の反射部は、前記入射面に平行な方向に沿って前記光源から離れるほど前記入射面を含む面との距離が連続的に増大する形状を有する第２の反射面を備え、前記第２の反射部における第２の反射面が、前記導光板内部に設けた空洞からなる低屈折率部との界面となっており、前記導光板は、前記入射面と前記第１の反射部との間に位置する第１部分、前記第１の反射部と前記第２の反射部との間に位置する第２部分、前記第２の反射部と前記出射面との間に位置する第３部分からなる３つの部分に分けて構成され、前記第１部分と前記第２部分との間が平面又は円錐面の分割面を介して合わせられ、前記第２部分と前記第３部分との間が平面又は円錐面の分割面を介して合わせられていることを特徴とする面発光装置を提供する。
【０００７】
本発明においては、前記第１の反射部における複数の第１の反射面が、平面、凸面、凹面、またはシボ形状から選択される１つまたは２つ以上である構成とすることもできる。
前記導光板が前記光源の光に対して透明な材質からなる構成とすることもできる。
前記導光板の出射面上に、光を拡散させる層を備える構成とすることもできる。
前記導光板の側面の外形が多角形であり、前記第１の反射部および前記第２の反射部が、前記導光板の外形に合わせて相似形としている構成とすることもできる。
前記導光板の側面の外形が四角形状である構成とすることもできる。
前記導光板の側面の外形が半円状または扇形である構成とすることもできる。
前記第１の反射部における複数の第１の反射面にそれぞれ反射膜を設けた構成とすることもできる。
【発明の効果】
【０００８】
本発明によれば、光源から入射面を通して導光板内に入射した光を、第２の反射部における第２の反射面によって、主として、入射面に沿って光源から離れる方向に反射し、さらに、第１の反射部における複数の第１の反射面によって、主として、出射面に向けて反射することができる。第１の反射部における複数の第１の反射面を所定の間隔で設けているので、複数の第１の反射面ごとに光が分岐して出射され、導光板の出射面の広い範囲から出射することができる。これにより、面状に均一性の高い発光が可能になる。
【図面の簡単な説明】
【０００９】
【図１】本発明の第１形態例に係る面発光装置を示す（ａ）平面図、及び（ｂ）断面図である。
【図２】図１に示す面発光装置の発光状態を説明する図面であり、図の左側に主な反射の様子を、図の右側に主な出射の様子を示す。
【図３】図１に示す面発光装置の概略の外観を示す斜視図である。
【図４】本発明の面発光装置の改変例を示す部分断面図である。
【図５】反射面の形状を説明する図面であり、それぞれ（ａ）平面、（ｂ）凸面、（ｃ）凹面、及び（ｄ）シボ形状を示す。
【図６】本発明の面発光装置の改変例を示す部分断面図である。
【図７】出射面に光拡散層を設けた本発明の面発光装置の一例を示す断面図である。
【図８】分割可能な本発明の面発光装置の一例を示す断面図である。
【図９】導光板の側面の外形が四角形状の面発光装置の一例を示す斜視図である。
【図１０】導光板の側面の外形が四角形状の面発光装置の一例を示す平面図である。
【図１１】導光板の側面の外形が半円状の面発光装置の一例を示す平面図である。
【図１２】導光板の側面の外形が９０°扇形状の面発光装置の一例を示す平面図である。
【図１３】参考例として第２形態例に係る面発光装置を示す（ａ）平面図、及び（ｂ）断面図である。
【図１４】図１３に示す面発光装置の発光状態を説明する図面であり、図の左側に主な反射の様子を、図の右側に主な出射の様子を示す。
【発明を実施するための形態】
【００１０】
以下、好適な実施の形態に基づき、図面を参照して本発明を説明する。
図１〜図３に、本発明の第１形態例に係る面発光装置を示す。この面発光装置１０の概略構成は、一つの側面を入射面４ａとし、他の側面を出射面４ｂとした導光板４と、導光板４の入射面４ａに光を入射する光源３とを備える。
導光板４は、本形態例の場合、入射面４ａと出射面４ｂとが互いに平行な平面である円板状であり、光源３は、入射面４ａの略中心に接続されている。図１（ｂ）の断面図は、円板状である導光板４の任意の径方向に沿う断面を示し、中心軸回りに対称な回転体の構造を有する。
【００１１】
導光板４を構成する材質は光源３の光を十分に透過することが可能であれば特に限定されるものではなく、例えばアクリル樹脂やポリカーボネート樹脂などの有機材料、多成分ガラスや石英ガラス等の無機材料など、光源３の光に対して透明な材質が好適である。導光板の色は、無色透明でもよく、所定の色を帯びていても構わない。
【００１２】
光源３としては、特に限定されるものではないが、ＬＥＤ（発光ダイオード）、電球、各種ランプ等が挙げられる。また、ＲＧＢ（Ｒｅｄ−Ｇｒｅｅｎ−Ｂｌｕｅ）等の可変色のＬＥＤを使用することも可能である。この場合、発光色が時間的に変化し、任意の色で動的表現を得ることが可能となり、表現の多様性が増して好ましい。
【００１３】
導光板４の内部には、入射面４ａ側に第１の低屈折率部６及び出射面４ｂ側に第２の低屈折率部７が形成され、これらの低屈折率部６，７の間には、これらの低屈折率部６，７よりも屈折率の高い材質からなる高屈折率部５を有する。高屈折率部５は、特に限定されるものではないが、導光板４を構成する上記の材質から構成することができる。また、低屈折率部６，７は、空洞とすることもできる。空洞には空気等の流体を封入したり、図示しない隙間等から外気に通じたりしてもよい。高屈折率部５と低屈折率部６，７との屈折率差は、ｓｉｎθｃ＝ｎ２／ｎ１で表される全反射条件（ただし、θｃは臨界角、ｎ１は高屈折率部の屈折率、ｎ２は低屈折率部の屈折率、ｎ１＞ｎ２）を考慮して、界面に形成される第１の反射部１および第２の反射部２に、好適な反射率が得られるように設定することが好ましい。
【００１４】
図１（ｂ）に示すように、高屈折率部５と第１の低屈折率部６との間には、第１の反射部１が設けられる。第１の反射部１は、入射面４ａに平行な方向（図１（ｂ）の左右方向）に沿って光源３から離れるほど入射面４ａを含む面との距離（入射面４ａに垂直な方向の距離すなわち図１（ｂ）の上下方向の距離）が増大するように所定の間隔で設けた、複数の第１の反射面１ａ，１ｂ，１ｃ，１ｄ，１ｅを複数の第１の反射面１ａ，１ｂ，１ｃ，１ｄ，１ｅを備える。また、これら複数の第１の反射面１ａ，１ｂ，１ｃ，１ｄ，１ｅは、入射面４ａに平行な方向に沿って光源３から離れるほど入射面４ａを含む面との距離が増大する形状をそれぞれ有する。
【００１５】
第１の反射部１における複数の第１の反射面の個数は、図１に示す例では同心円状に５個であるが、特に限定されるものではない。光源３に対して２個以上であれば、第１の反射面の個数は所望の数とすることができる。
なお、「入射面を含む面との距離」とは、入射面４ａを含む面から反射部までの距離（入射面４ａが十分に広い平面である場合には、入射面４ａから反射部までの距離に等しい。）を、入射面４ａに垂直な方向で定義したものである。入射面４ａが曲面である場合には、入射面４ａのうち光源３に対向する近傍部に接する平面を基準とすることができる。
【００１６】
これらの第１の反射面１ａ，１ｂ，１ｃ，１ｄ，１ｅは、入射面４ａに平行な方向に沿って、互いに間隔をあけて配置されている。図１（ａ）に示すように、入射面に垂直な平面視では、第１の反射面１ａ，１ｂ，１ｃ，１ｄ，１ｅが光源３の設置位置を中心とする同心円状に形成されている。なお、第１の反射部における複数の第１の反射面同士の間隔は、適宜設定可能であり、等間隔でなくともよい。
本形態例の場合、第１の反射部１における複数の第１の反射面１ａ，１ｂ，１ｃ，１ｄ，１ｅは、導光板４の内部に設けた低屈折率部６との界面となっており、特に別途の反射膜を設けなくても所望の反射率を得ることができる。
【００１７】
図２に示す第１の反射部１の場合、複数の第１の反射面１ａ，１ｂ，１ｃ，１ｄ，１ｅとそれらの間の面１１ａ，１１ｂ，１１ｃ，１１ｄとがつながって階段状の断面を有する。第１の反射部１のうち、少なくとも第１の反射面１ａ，１ｂ，１ｃ，１ｄ，１ｅが光を反射可能であればよい。
第１の反射面の間の面１１ａ，１１ｂ，１１ｃ，１１ｄは、図１に示す例では入射面４ａに平行であるが、図４に示すように、入射面４ａに平行な面１２に対して傾斜したり、湾曲や屈曲等したりしても構わない。
導光板４の厚さを抑制する観点では、図１（ｂ）に示すように、第１の反射面の間の面１１ａ，１１ｂ，１１ｃ，１１ｄが入射面４ａに平行であると好ましい。
【００１８】
また、高屈折率部５と第２の低屈折率部７との間には、第２の反射部２が設けられる。第２の反射部２は、入射面４ａに平行な方向に沿って光源３から離れるほど入射面４ａを含む面との距離が連続的に増大する形状を有する第２の反射面２ａを備える。
本形態例の場合、第２の反射部２における第２の反射面２ａは、光源３に対向する位置から第２の低屈折率部７の外周縁まで、断面が屈曲または湾曲して連続している、一つの反射面である。
【００１９】
なお、第２の反射部２の全体が第２の反射面２ａであることは本発明の必須事項ではなく、（ｉ）反射面でない箇所や、（ii）反射面ではあっても光源３から離れる方向で入射面４ａを含む面との距離が増大しない（一定または減少する）形状を有する箇所が、第２の反射部２の範囲内に局所的に存在することにより、第２の反射部２に第２の反射面が複数存在していてもよい。
本形態例の場合、第２の反射部２における第２の反射面２ａは、導光板４の内部に設けた低屈折率部７との界面となっており、特に別途の反射膜を設けなくても所望の反射率を得ることができる。
【００２０】
本形態例の面発光装置１０は、入射面４ａ側に位置する第１の反射部１と、出射面４ｂ側に位置する第２の反射部２とが上述の形状であることにより、導光板４の内部では、主に図２に示すように反射、散乱して、出射面４ｂから出射される。なお、導光板４の内部構造は対称的なので、図２の左側に主な反射の様子を、図２の右側に主な出射の様子を、それぞれ分けて示す。
【００２１】
通常、光源３から導光板４に入射される入射光Ｌは、所定範囲の広がり角を有して光パワーが分布するビームである。第２の反射部２における第２の反射面２ａのうち光源３の近傍部は、錐状（本形態例では円錐状）であり、大部分の光Ｌは、反射（好ましくは全反射）して入射面４ａに沿って光源３から離れる方向に反射する。第２の反射部２の光源３に対向する先端部は、入射面４ａに平行な平坦面や、球面など丸みを帯びた曲面でも構わない。
【００２２】
図２の左側に示すように、光源３から入射面４ａを通して導光板４内に入射した光Ｌを、第２の反射部２における第２の反射面２ａによって、主として、入射面４ａに沿って光源３から離れる方向に反射する。第２の反射部２における第２の反射面２ａの形状は、光源３から第２の反射部２に入射する位置と角度に応じて、光がほぼ全反射するように設計することが好ましい。また、導光板４の中心付近では、第２の低屈折率部７と高屈折率部５との界面が入射面４ａに対してほぼ平行となり、反射せずに出射面４ｂの中心付近から出射する光Ｌ０も存在する。
【００２３】
第２の反射部２における第２の反射面２ａで反射した光は、さらに、第１の反射部１における複数の第１の反射面１ａ，１ｂ，１ｃ，１ｄ，１ｅに入射すると、主として、出射面４ｂに向けて反射する。これにより、図２の右側に示すように、第１の反射面１ａ，１ｂ，１ｃ，１ｄ，１ｅで反射した光Ｌ１，Ｌ２，Ｌ３，Ｌ４，Ｌ５が、それぞれ径方向の内外で異なる位置から出射する。図２では簡潔のため図示を省略するが、第１の反射面１ａ，１ｂ，１ｃ，１ｄ，１ｅで反射して得られる出射光Ｌ１，Ｌ２，Ｌ３，Ｌ４，Ｌ５は、図２の左側においても発生する。また、第１の反射部１と第２の反射部２との間で繰り返し反射する光が存在してもよい。
【００２４】
これにより、光源３からの入射光Ｌを複数の出射光Ｌ０，Ｌ１，Ｌ２，Ｌ３，Ｌ４，Ｌ５に分岐して、導光板４の出射面４ｂの広い範囲から出射することができ、均一性の高い面状の発光が可能になる。さらには、図２では図示を省略するが、第１の反射部１や第２の反射部２で正反射せずに散乱や屈折する光や、導光板４の外部の界面で反射する光なども存在するため、出射面４ｂから光が出射する位置及び方向が多様になる。
【００２５】
出射光Ｌ０，Ｌ１，Ｌ２，Ｌ３，Ｌ４，Ｌ５は、第２の反射部２を透過するとき、また、第２の低屈折率部７の出射面４ｂ側の面８を透過するときに、それぞれ屈折する場合がある。そこで、面８における屈折角も考慮に入れて、第２の低屈折率部７の出射面４ｂ側の面８の断面形状を設計することが好ましい。
本形態例では、第２の低屈折率部７の出射面４ｂ側の面８の中心部は平坦面８ａとなっているが、ここを凸面や凹面などとして、中心部における出射光Ｌ０が面８を透過するときの強度分布をさらに調整することもできる。
【００２６】
複数の反射面の個数、位置、面積、傾斜角などは、出射面の面内における所望の強度分布に応じて任意にコントロールすることが可能である。出射面が入射面と対向して位置するので、反射面で反射した光のみならず、反射せずに透過した光も、出射面から出射され、入射面や側面から出射する光を極めて少なくすることができるので、光源３の光を効率的に利用することができる。
【００２７】
図１３〜１４に、参考例として第２形態例に係る面発光装置を示す。この面発光装置１００の概略構成は、一つの側面を入射面４０ａとし、他の側面を出射面４０ｂとした導光板４０と、導光板４０の入射面４０ａに光を入射する光源３とを備え、入射面４０ａ側に上述した複数の第１の反射面１ａ，１ｂ，１ｃ，１ｄ，１ｅを有する第１の反射部１を備え、出射面４０ｂ側に上述した第２の反射面２ａを有する第２の反射部２とを備える。
【００２８】
本形態例の面発光装置１００によれば、第１形態例と同様に、光源３からの入射光Ｌを複数の出射光Ｌ０，Ｌ１，Ｌ２，Ｌ３，Ｌ４，Ｌ５に分岐して、導光板４０の出射面４０ｂの広い範囲から出射することができ、均一性の高い面状の発光が可能になる。
さらに、第１の反射部１及び第２の反射部２のうちの少なくとも一方（図１３〜１４では両方）を、導光板４０の外面に露出するように設けたので、第１の反射部１及び第２の反射部２の成形が容易になる。
なお、本形態例において、導光板４０の材質や形状などは、上述の第１形態例の導光板４（より詳しくは高屈折率部５）と同様とすることができる。
【００２９】
図１４に示すように、第１の反射部１における複数の第１の反射面１ａ，１ｂ，１ｃ，１ｄ，１ｅにそれぞれ反射膜２０を設けることができる。これにより、導光板４０の内部で反射、拡散する光が出射面４０ｂから反対側に透過することを抑制し、出射面４０ｂへ向かう反射率を高めることができるので、光の利用効率をより向上することが可能になる。
反射膜２０は、例えば金属（Ａｌ，Ａｇ等）や金属酸化物（例えば誘電体多層膜）などの蒸着やスパッタ、金属のめっき等、各種の方法により形成することができる。
反射膜２０は、少なくとも第１の反射面１ａ，１ｂ，１ｃ，１ｄ，１ｅに設けられればよく、さらには、第１の反射面の間の面１１ａ，１１ｂ，１１ｃ，１１ｄにも反射膜２０を形成してもよい。図１４に示すように、反射膜２０が、第１の反射面１ａ，１ｂ，１ｃ，１ｄ，１ｅ及びその間の面１１ａ，１１ｂ，１１ｃ，１１ｄを含む第１の反射部１全体にわたって連続的に設けられていると、反射膜２０の形成パターンが単純になり、反射膜２０の作製が容易になる。
【００３０】
以上、本発明を好適な実施の形態に基づいて説明してきたが、本発明は上述の形態例に限定されるものではなく、本発明の要旨を逸脱しない範囲で種々の改変が可能である。
本発明においては、複数の反射面が、図５に示すように、平面２１、凸面２２、凹面２３、またはシボ形状２４から選択される１つまたは２つ以上とすることもできる。
【００３１】
第１の反射部における複数の第１の反射面のうち少なくとも一つが凸面２２（低屈折率部の側から高屈折率部の側に向けて突出した形状）または凹面２３（高屈折率部の側から低屈折率部の側に向けて凹んだ形状）であると、レンズとしての効果があり、出射光を発散や収束させることができる。また、第１の反射部における複数の第１の反射面のうち少なくとも一つが微細な凹凸からなるシボ形状２４（梨地状、砂地状などの粗面）であると、当該反射面に入射した光を拡散させることができる。よって、これらの面形状を任意に組み合わせることにより、出射光の強度分布を所望にコントロールすることができる。
シボ形状を形成するための粗面化処理は、局所的にサンドブラスト、エッチング、型からの転写などによるシボ加工等を施すことで実施可能である。
【００３２】
図６は、入射面４ａに沿う方向において光源３から離れるほど、出射光Ｌ０，Ｌ１，Ｌ２，Ｌ３，Ｌ４，Ｌ５の平均的な出射方向が外周方向に傾くように、複数の第１の反射面１ａ，１ｂ，１ｃ，１ｄ，１ｅの傾斜角を調整した例である。図６に示す例によれば、図２に示す例に比べて、発光面積をより広くすることが可能である。
特に図示しないが、図６とは反対に、複数の第１の反射面で反射した光の平均的な出射方向が導光板の中心向きに傾くように、第１の反射面の傾斜角を調整することも可能である。また、複数の第１の反射面で反射した光の平均的な出射方向が、導光板の外周向きに傾いたものと、中心向きに傾いたものとが混在するように構成することも可能である。
【００３３】
図７に示す面発光装置１５は、導光板４の出射面４ｂ上に、光を拡散させる光拡散層１４を備える。光拡散層１４としては、白色印刷、溝加工、ドット加工、粗面化処理（サンドブラスト、エッチング、シボ加工等）などが挙げられる。そして、コストや加工性などを勘案してこれらのいずれか１つ或いは組み合わせて適宜選択することができる。これにより、出射面４ｂから出射する光の強度分布をより均一にすることができる。
光拡散層を図１３〜１４に示すように出射面４０ｂが曲面からなる導光板４０に設ける場合には、必ずしも光拡散層を出射面に密着させる必要はない。例えば、別の透明基材に光拡散層を設けてなる光拡散板を導光板の出射面側に積層することも可能である。
【００３４】
図８は、導光板を、入射面４ａと第１の反射部１との間に位置する第１部分４１、第１の反射部１と第２の反射部２との間に位置する第２部分４２、第２の反射部２と出射面４ｂとの間に位置する第３部分４３とからなる３つの部分に分けて構成した例を示す。第１部分４１と第２部分４２との間の分割面４４や、第２部分４２と第３部分４３との間の分割面４５は、例えば平面や円錐面（テーパ面）などにより精密に合わせることができる。
第１の反射部１に反射膜を設ける場合には、第１部分４１と第２部分４２とを組み合わせる前に反射膜を形成することが好ましい。
【００３５】
導光板の側面の外形は、図９及び図１０に示すように、矩形（正方形、長方形）などの多角形とすることもできる。図９及び図１０に示す導光板１６の場合、導光板１６の中心に光源３を配置し、第１の反射部１や第２の反射部２も、導光板１６の外形に合わせて相似形としている。また、特に図示しないが、側面が矩形状の導光板の内部に、同心円状の反射面を形成するなど、導光体の側面が反射面と異なる平面形状を取ることも可能である。
【００３６】
光源の設置位置は、導光板の中心に限られるものではなく、中心から片寄った位置に光源を設置することも可能である。また、図１１に示すように導光板１７の側面の外形を半円状としたり、図１２に示すように導光板１８の側面の外形を扇形にしたりすることも可能である。この場合、第１の反射部１や第２の反射部２を、光源３を中心とする周方向が３６０°に満たない任意の範囲に設けることもできる。
光源３を中心とする周方向の角度は、壁面やコーナーに接するように照明装置を設置する場合、約１８０°や約９０°が好ましい。また、柱面などの突出した角部に取り付けるため、光源３を中心とする周方向の角度を２７０°前後とすることも可能である。
【００３７】
１つの導光板に複数の光源を用いることもできる。この場合、本発明による複数の第１の反射面を有する第１の反射部と、第２の反射面を有する第２の反射部を、光源ごとに設けることもできる。
【符号の説明】
【００３８】
１…第１の反射部、１ａ，１ｂ，１ｃ，１ｄ，１ｅ…複数の第１の反射面、２…第２の反射部、２ａ…第２の反射面、３…光源、４，１６，１７，１８，４０…導光板、４ａ，４０ａ…入射面、４ｂ，４０ｂ…出射面、５…高屈折率部、６…第１の低屈折率部、７…第２の低屈折率部、８…第２の低屈折率部の出射面側の面、８ａ…平坦面、９…第１の低屈折率部の入射面側の面、１０，１５，１００…面発光装置、１１ａ，１１ｂ，１１ｃ，１１ｄ…反射面の間の面、１２…入射面に平行な面、１３…入射面に垂直な線、１４…光を拡散させる層（光拡散層）、２０…反射膜、２１…平面、２２…凸面、２３…凹面、２４…シボ形状、４１…入射面と第１の反射部との間の部分、４２…第１の反射部と第２の反射部との間の部分、４３…第２の反射部と出射面との間の部分、４４，４５…分割面。
【図１】
0005492637.tif 000002
【図２】
0005492637.tif 000003
【図３】
0005492637.tif 000004
【図４】
0005492637.tif 000005
【図５】
0005492637.tif 000006
【図６】
0005492637.tif 000007
【図７】
0005492637.tif 000008
【図８】
0005492637.tif 000009
【図９】
0005492637.tif 000010
【図１０】
0005492637.tif 000011
【図１１】
0005492637.tif 000012
【図１２】
0005492637.tif 000013
【図１３】
0005492637.tif 000014
【図１４】
0005492637.tif 000015